【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
航空機端末（ＡＴ）においてワイヤレス通信リンクを確立する方法であって、
前記ＡＴと地上局との間の伝搬遅延に少なくとも部分的に基づいて、タイミングオフセットを決定することと、
前記決定されたタイミングオフセットに少なくとも部分的に基づいて、前記地上局に初期アクセスメッセージを送信することによって、前記地上局からメッセージを受信するより前に前記地上局との無線リソース制御（ＲＲＣ）インターフェースを確立するために通信を開始することと、前記初期アクセスメッセージは、前記ＲＲＣインターフェースを要求している前記ＡＴの前記地上局への第１のインジケーションである、
前記地上局からタイミング整合値を含むアクセス応答メッセージを受信することと、
前記タイミング整合値に少なくとも部分的に基づいて、前記タイミングオフセットを調整することと
を備える、方法。
【請求項２】
前記ＡＴと前記地上局との間の距離が少なくとも１００キロメートルである、請求項１に記載の方法。
【請求項３】
前記タイミングオフセットを前記決定することが、
ＡＴロケーションを識別することと、
前記ＡＴロケーションを地上局ロケーションと比較することと
をさらに備える、請求項１に記載の方法。
【請求項４】
全地球測位システム（ＧＰＳ）デバイスを使用して前記ＡＴロケーションを識別することと、
地上局ロケーションの記憶されたセットからの前記地上局ロケーションにアクセスすることと
をさらに備える、請求項３に記載の方法。
【請求項５】
前記アクセス応答メッセージが、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信のためのリソースを確保し、前記ＲＮＴＩが、セルＲＮＴＩ（Ｃ−ＲＮＴＩ）または一時セルＲＮＴＩ（ＴＥＭＰ−ＣＲＮＴＩ）のいずれかを備える、請求項１に記載の方法。
【請求項６】
ロケーション情報を含む接続メッセージを送信することをさらに備える
請求項１に記載の方法。
【請求項７】
前記ロケーション情報が、少なくとも、前記ＡＴのロケーションを示す経度値、緯度値、および高度値を備える、請求項６に記載の方法。
【請求項８】
前記接続メッセージを送信することは、前記調整されたタイミングオフセットに少なくとも部分的に基づいている、請求項６に記載の方法。
【請求項９】
広いカバレージおよびアンテナダイバーシティを達成するように構成された１つまたは複数の広間隔の要素を備える１つまたは複数の地上局アンテナ要素によって前記地上局において受信されるべき前記初期アクセスメッセージを送信することをさらに備える、請求項１に記載の方法。
【請求項１０】
航空機端末（ＡＴ）においてワイヤレス通信リンクを確立するための装置であって、
前記ＡＴと地上局との間の伝搬遅延に少なくとも部分的に基づいて、タイミングオフセットを決定するための手段と、
前記地上局からメッセージを受信するより前に前記地上局との無線リソース制御（ＲＲＣ）インターフェースを確立するために、前記決定されたタイミングオフセットに少なくとも部分的に基づいて、前記地上局に初期アクセスメッセージを送信するための手段と、前記初期アクセスメッセージは、前記ＲＲＣインターフェースを要求している前記ＡＴの前記地上局への第１のインジケーションである、
前記地上局からタイミング整合値を含むアクセス応答メッセージを受信するための手段と、
前記タイミング整合値に少なくとも部分的に基づいて、前記タイミングオフセットを調整するための手段と
を備える、装置。
【請求項１１】
前記ＡＴと前記地上局との間の距離が少なくとも１００キロメートルである、請求項１０に記載の装置。
【請求項１２】
前記タイミングオフセットを前記決定するための手段が、
ＡＴロケーションを識別するための手段と、
前記ＡＴロケーションを地上局ロケーションと比較するための手段と
をさらに備える、請求項１０に記載の装置。
【請求項１３】
前記ＡＴロケーションを識別するための手段が、ＧＰＳデバイスを使用して前記ＡＴロケーションを識別するための手段を備え、
前記比較するための手段が、地上局ロケーションの記憶されたセットからの前記地上局ロケーションにアクセスするための手段を備える、
請求項１２に記載の装置。
【請求項１４】
前記アクセス応答メッセージが、無線ネットワーク一時識別子（ＲＮＴＩ）とアップリンク許可リソースとを備え、ここにおいて、前記アップリンク許可リソースが、ＡＴロケーション情報をもつ接続メッセージのアップリンク送信のためのリソースを確保し、前記ＲＮＴＩが、セルＲＮＴＩ（Ｃ−ＲＮＴＩ）または一時セルＲＮＴＩ（ＴＥＭＰ−ＣＲＮＴＩ）のいずれかを備える、請求項１０に記載の装置。
【請求項１５】
ロケーション情報を含む接続メッセージを送信するための手段をさらに備える
請求項１０に記載の装置。
【請求項１６】
前記ロケーション情報が、少なくとも、前記ＡＴのロケーションを示す経度値、緯度値、および高度値を備える、請求項１５に記載の装置。
【請求項１７】
前記接続メッセージを送信するための手段は、前記調整されたタイミングオフセットに少なくとも部分的に基づいている、請求項１５に記載の装置。
【請求項１８】
広いカバレージおよびアンテナダイバーシティを達成するように構成された１つまたは複数の広間隔の要素を備える１つまたは複数の地上局アンテナ要素によって前記地上局において受信されるべき前記初期アクセスメッセージを送信するための手段をさらに備える、請求項１０に記載の装置。
【請求項１９】
航空機端末（ＡＴ）においてワイヤレス通信リンクを確立するための装置であって、
プロセッサと、
前記プロセッサと電子通信しているメモリと、
前記メモリに記憶された命令と
を備え、前記命令が、前記プロセッサによって、
前記ＡＴと地上局との間の伝搬遅延に少なくとも部分的に基づいて、タイミングオフセットを決定することと、
前記決定されたタイミングオフセットに少なくとも部分的に基づいて、前記地上局への初期アクセスメッセージの送信を通して、前記地上局からメッセージを受信するより前に前記地上局との無線リソース制御（ＲＲＣ）インターフェースを確立するために通信を開始することと、前記初期アクセスメッセージは、前記ＲＲＣインターフェースを要求している前記ＡＴの前記地上局への第１のインジケーションである、
前記地上局からタイミング整合値を含むアクセス応答メッセージを受信することと、
前記タイミング整合値に少なくとも部分的に基づいて、前記タイミングオフセットを調整することと
を行うように実行可能である、装置。
【請求項２０】
前記ＡＴと前記地上局との間の距離が少なくとも１００キロメートルである、請求項１９に記載の装置。
【請求項２１】
前記命令が、前記プロセッサによって、
ＡＴロケーションを識別することと、
前記ＡＴロケーションを地上局ロケーションと比較することと
を行うようにさらに実行可能である、請求項１９に記載の装置。
【請求項２２】
前記命令が、前記プロセッサによって、
ＧＰＳデバイスを使用して前記ＡＴロケーションを識別することと、
地上局ロケーションの記憶されたセットからの前記地上局ロケーションにアクセスすることと
を行うようにさらに実行可能である、請求項２１に記載の装置。
【請求項２３】
前記命令が、前記プロセッサによって、
ロケーション情報を含む接続メッセージを送信するようにさらに実行可能である、請求項１９に記載の装置。
【請求項２４】
前記接続メッセージの送信は、前記調整されたタイミングオフセットに少なくとも部分的に基づいている、請求項２３に記載の装置。
【請求項２５】
前記命令が、前記プロセッサによって、
広いカバレージおよびアンテナダイバーシティを達成するように構成された１つまたは複数の広間隔の要素を備える１つまたは複数の地上局アンテナ要素によって前記地上局において受信されるべき前記初期アクセスメッセージを送信することを行うためにさらに実行可能である、請求項１９に記載の装置。
【請求項２６】
前記調整された初期タイミングオフセットに少なくとも部分的に基づいて、前記地上局にＲＲＣ接続要求メッセージを送信することをさらに備え、前記ＲＲＣ接続要求メッセージが前記ＡＴのロケーション情報を備える、
請求項１に記載の方法。
【請求項２７】
前記ロケーション情報が、緯度、経度、高度、ヘッディング、速度、またはタイムスタンプのうちの１つまたは複数を備える、請求項２６に記載の方法。
【請求項２８】
前記ロケーション情報が、前記地上局におけるビームフォーミングを容易にするように構成された、請求項２６に記載の方法。
【請求項２９】
前記地上局からダウンリンク上でデータを受信することをさらに備え、前記データが、前記地上局におけるビームフォーミング構成を介して前記ダウンリンク上で送信される、請求項１に記載の方法。
【請求項３０】
前記地上局にアップリンク上でデータを送信することをさらに備え、前記データが、前記地上局におけるビームフォーミング構成を介して前記アップリンク上で受信される、請求項１に記載の方法。
【請求項３１】
前記初期アクセスメッセージは、ランダムアクセスプリアンブルを備える、請求項１に記載の方法。